(57)【要約】【課題】点発光素子を搭載している帯板状のバーと筐体の側板の内面との密着性を高めることにより放熱性能を高める。光源ユニットの交換を容易に行う。【解決手段】光源ユニット１０のバー１１を筐体２０の側板２２の内面との重なり位置に対して着脱するときのバー１１の移動を、側板２２の高さ方向に案内するガイド機構５０と、バー１１を側板２２の内面に押し付ける挟圧機構６０と、側板２２とバー１１とを位置決めする位置決め機構７０とを備える。ガイド機構５０が側板２２の長手方向端部に形成された溝形部５１と、バー１１の長手方向端部により形成された板片部５２とを有する。挟圧機構６０が、第１折返し片部６１、第１板片部６２、第２折返し片部６４、第２板片部６３などを備える。【選択図】図１
2011238365.tif 000002
【特許請求の範囲】
【請求項１】
帯板状のバーに点発光素子が装備されてなる光源ユニットの上記バーが、底板と側板とを有する筐体の上記側板の内面との重なり位置に装着される光源ユニット取付構造であって、
上記バーを上記側板の内面との重なり位置に対して着脱するときの上記バーの移動を、上記側板の高さ方向に案内するガイド機構と、
上記側板の内面との重なり位置に配備された上記バーを、上記側板の内面に押し付ける挟圧機構と、
上記側板とその側板の重なり位置に配備された上記バーとをそれらの長手方向で位置決めする位置決め機構と、
を備えることを特徴とする光源ユニット取付構造。
【請求項２】
上記ガイド機構が、上記側板及び上記バーのうちの一方側部材の長手方向端部を折返し状に折り曲げることにより形成された溝形部と、他方側部材の長手方向端部により形成されて上記溝形部に嵌脱可能な板片部と、を有する請求項１に記載した光源ユニット取付構造。
【請求項３】
上記挟圧機構が、
上記側板及び上記バーのうちの一方側部材の長手方向端部を折返し状に折り曲げることにより形成された第１折返し片部と、
他方側部材の長手方向端部により形成されて上記第１折返し片部によって上記側板の内面の長手方向端部に押し付けられる第１板片部と、
上記側板の高さ方向一端部の１箇所又は複数箇所に形成された第２板片部と、
上記バーの幅方向一端部の１箇所又は複数箇所に折返し状に形成されて上記第２板片部の外面を弾圧することにより当該バーを上記側板の内面に押し付ける第２折返し片部と、
上記底板の１箇所又は複数箇所に開設された差込み孔と、
上記バーの高さ方向他端部の１箇所又は複数箇所に形成されて上記差込み孔に差し込まれることによりその差込み孔の孔縁に当接して当該バーを上記側板の内面に押し付ける差込み片と、を有する請求項１又は請求項２に記載した光源ユニット取付構造。
【請求項４】
上記位置決め機構が、上記側板及び上記バーのうちの一方側部材の長手方向端部を折返し状に折り曲げることにより形成された溝形部の溝底面と、他方側部材の長手方向端部により形成されて上記溝形部に嵌脱可能で上記溝底面に重なり合う板片部の端面と、を有する請求項１ないし請求項３のいずれか１項に記載した光源ユニット取付構造。
【請求項５】
上記ガイド機構の溝形部が上記側板に、上記ガイド機構の板片部が上記バーに、それぞれ設けられ、
上記挟圧機構の第１折返し片部が上記側板に、上記挟圧機構の第１板片部が上記バーに、それぞれ設けられ、
上記位置決め機構の上記溝底面が上記側板に設けられた上記溝形部に、上記位置決め機構の上記端面が上記バーの長手方向端部により形成された板片部に、それぞれ設けられている請求項２ないし請求項４のいずれか１項に記載した光源ユニット取付構造。
【発明の詳細な説明】
【技術分野】
【０００１】
本発明は、光源ユニット取付構造、特に、点発光素子を帯板状のバーに装備させてなる光源ユニットを、筐体の側板の内面との重なり位置に装着することに採用される光源ユニット取付構造に関する。
【背景技術】
【０００２】
ＬＥＤ（発光ダイオード）などの点発光素子を帯板状のバーに並べて装備させることにより構成される光源ユニットは、液晶パネルのバックライト用光源として採用されている。この種の光源ユニットでは、放熱性能を高めて点発光素子の発熱を抑制することは、点発光素子の光束の減少を抑制して耐用寿命や発光信頼性の低下を防ぐ上で有益であるとされている。
【０００３】
図７には、液晶パネルのバックライト用光源として用いられる光源ユニット取付構造の従来例を断面図で示してある。同図において、１０は光源ユニット、２０は筐体をそれぞれ示している。光源ユニット１０は、帯板状の細長いバー１１に点発光素子としてのＬＥＤ１２を装備させてなる。また、筐体２０は、底板２１とその底板２１の端縁から立ち上げられた側板２２とを備えている。そして、光源ユニット１０のバー１１を筐体２０の側板２２の内面に両面粘着テープ３０を用いて貼着することによって、バー１１が側板２２に装着されている。なお、４０は導光板を示していて、側面から導入した光源ユニット１０のＬＥＤ１２の光を、片側の板面から放出して面発光する。
【０００４】
図７に示した従来例の光源ユニット取付構造にあっては、ＬＥＤ１２の発光に伴う発熱が、両面粘着テープ３０を介してバー１１から筐体２０に伝わり、筐体２０の側板２２や底板２１から放熱される。そして、放熱効率を高めることを意図して、両面粘着テープ３０には放熱性に優れた材料が用いられているほか、バー1 １や筐体２０が伝熱性に富む金属で製作されている。
【０００５】
一方、点発光素子の放熱を促進してその発熱を抑制するための対策や、点発光素子を用いた光源ユニットの筐体に対する着脱性を向上させるための対策についての提案が種々なされている（たとえば、特許文献１〜３参照）。
【０００６】
ここで掲げた特許文献のうち、特許文献１では図８に断面図で示した構造の照明装置が提案されている。同図の照明装置では、ＬＥＤ１００を搭載した基板１０１が放熱シート１０３を介して筐体１０４の内面に重ね合わされている。そして、放熱シート１０３を筐体１０４の外面側に達する長さに延び出させて放熱面積を増大させるという工夫がなされている。１０５は導光板である。
【０００７】
また、特許文献２では図９に断面図で示した構造の面状光源装置が提案されている。同図の面状光源装置では、ＬＥＤ２００を搭載した光源基板２０１が断面コ字形の基板留め部材２０３に保持されていて、その基板留め部材２０３が、筐体（下ケース）２０４の側板２０５に嵌め込まれている。２０６は導光板である。
【０００８】
さらに、特許文献３では図１０に斜視図で示した構造の照明装置が提案されている。同図の照明装置では、ＬＥＤ３００を搭載したプリント基板３０１がランプハウス３０２の光源支持部３０３の内面に装備されている。そして、導光板３０４を内蔵したケース３０５に開口３０６を具備させ、この開口３０６を利用してランプハウス３０２を矢印Ａのようにケース３０５に挿入したりケース３０５から引き出したりしてランプハウス３０２の交換を可能にしている。また、ランプハウス３０２には、ケース３０５に対する挿抜時にＬＥＤ３００が導光板３０４に干渉することを回避することを意図して、スペーサ３０７が装着されている。
【先行技術文献】
【特許文献】
【０００９】
【特許文献１】特開２００７−２８７４６３号公報
【特許文献２】特開２００７−３１１３２７号公報（図１１）
【特許文献３】特開２００９−２２４３０１号公報
【発明の概要】
【発明が解決しようとする課題】
【００１０】
ところで、上記したように、液晶パネルのバックライト用光源として用いられる光源ユニットでは、ＬＥＤを搭載している帯板状のバーと筐体の側板の内面との密着性を高めることは、放熱性能を高めてＬＥＤの耐用寿命や発光信頼性を向上させる上で有益である。
【００１１】
そのため、図７に示した従来例の光源ユニット取付構造では、光源ユニット１０のバー１１と筐体２０の側板２２の内面との間に両面粘着テープ３０が介在されているため、その両面粘着テープ３０に放熱性に優れた材料が用いられているとしても、バー１１と筐体２０の側板２２とを直接に密着させた場合に比べて放熱性能が劣るということが云える。また、図８に示した構造の照明装置でも、ＬＥＤ１００を搭載した基板１０１が放熱シート１０３を介して筐体１０４の内面に重ね合わされていることから、基板１０１と筐体２０の側板２２とを直接に密着させた場合に比べて放熱性能が劣ると考えられる。
【００１２】
一方、筐体に対する光源ユニットの着脱性を向上させておくことは、不良が発生した光源ユニットを交換する作業を行う上で有益である。
【００１３】
この点に関し、図７に示した従来例の光源ユニット取付構造では、光源ユニット１０の着脱作業に際して両面粘着テープ３０を剥がし取る作業が不可欠になるため、筐体に対する光源ユニットの着脱性という面ではそれほど優れているとは云えない。
【００１４】
そこで、図９に示した構造の面状光源装置のように、光源基板２０１を保持させた断面コ字形の基板留め部材２０３が、筐体２０４の側板２０５に嵌め込まれている、という構成を備えていると、基板留め部材２０３を筐体２０４の側板２０５に抜き差しするだけで光源基板２０１を筐体２０４に着脱することができるため、光源基板２０１の着脱性に優れているということが云える。また、図１０に示した照明装置のように、ケース３０５の開口３０６を利用してランプハウス３０２を矢印Ａのようにケース３０５に挿入したりケース３０５から引き出したりしてランプハウス３０２の交換を可能にしたものも、光源基板２０１の着脱性に優れているということが云える。
【００１５】
しかしながら、筐体に対する光源ユニットの着脱性について検討してみると、図９に示した構造の面状光源装置では、基板留め部材２０３を筐体２０４の側板２０５に抜き差しする作業は比較的容易に行うことができるけれども、基板留め部材２０３を側板２０５の長手方向で位置決めするのに熟練を必要とすることから、結果的には、それほど着脱性に優れているとは云えない。また、図１０に示した照明装置では、ケース３０５に対するランプハウス３０２の挿抜時にＬＥＤ３００が導光板３０４に干渉することを回避するために、スペーサ３０７を余分に用いる必要がある。
【００１６】
本発明は以上の状況の下でなされたものであり、点発光素子を搭載している帯板状のバーと筐体の側板の内面との密着性を高めることにより放熱性能を高めて、ＬＥＤの耐用寿命や発光信頼性を向上させることができるだけでなく、光源ユニットの交換に際しても、筐体の側板に対して上記バーを容易に、しかも熟練を要することなく確実に位置決めして取り付けることが可能であり、その上、スペーサなどの余分の部品を用いることなく、筐体に対する光源ユニットの着脱時に、点発光素子が導光板などに干渉することを回避することのできる光源ユニット取付構造を提供することを目的とする。
【課題を解決するための手段】
【００１７】
本発明に係る光源ユニット取付構造は、帯板状のバーに点発光素子が装備されてなる光源ユニットの上記バーが、底板と側板とを有する筐体の上記側板の内面との重なり位置に装着される光源ユニット取付構造であって、上記バーを上記側板の内面との重なり位置に対して着脱するときの上記バーの移動を、上記側板の高さ方向に案内するガイド機構と、上記側板の内面との重なり位置に配備された上記バーを、上記側板の内面に押し付ける挟圧機構と、上記側板とその側板の重なり位置に配備された上記バーとをそれらの長手方向で位置決めする位置決め機構と、を備える。
【００１８】
この構成であると、ガイド機構の作用により、バーを筐体の側板の高さ方向に移動させることによって、そのバーが側板の内面との重なり位置に配置されたりその重なり位置から取り外されたりされるため、図１０に示した事例のものに比べると、バーに装備されている点発光素子が筐体に収容されている導光板などに干渉しにくくなる。また、挟圧機構の作用により、側板の内面との重なり位置に配備されたバーが側板の内面に押し付けられるために、ＬＥＤを搭載しているバーと筐体の側板の内面との密着性が高まって放熱性能が高められ、ＬＥＤの耐用寿命や発光信頼性が向上する。また、この挟圧機構は、バーを側板に固定することにも役立つので、図７を参照して説明した両面粘着テープを用いる必要がなくなる。さらに、位置決め機構の作用により、側板とその側板の重なり位置に配備されたバーとがそれらの長手方向で位置決めされるために、光源ユニットの交換に際して、熟練を要することなく、バーが確実に位置決めされて筐体の側板に取り付けられるようになる。
【００１９】
本発明では、上記ガイド機構として、上記側板及び上記バーのうちの一方側部材の長手方向端部を折返し状に折り曲げることにより形成された溝形部と、他方側部材の長手方向端部により形成されて上記溝形部に嵌脱可能な板片部と、を有する、という構成を採用することが可能である。
【００２０】
本発明では、上記挟圧機構として、上記側板及び上記バーのうちの一方側部材の長手方向端部を折返し状に折り曲げることにより形成された第１折返し片部と、他方側部材の長手方向端部により形成されて上記第１折返し片部によって上記側板の内面の長手方向端部に押し付けられる第１板片部と、上記側板の高さ方向一端部の１箇所又は複数箇所に形成された第２板片部と、上記バーの幅方向一端部の１箇所又は複数箇所に折返し状に形成されて上記第２板片部の外面を弾圧することにより当該バーを上記側板の内面に押し付ける第２折返し片部と、上記底板の１箇所又は複数箇所に開設された差込み孔と、上記バーの高さ方向他端部の１箇所又は複数箇所に形成されて上記差込み孔に差し込まれることによりその差込み孔の孔縁に当接して当該バーを上記側板の内面に押し付ける差込み片と、を有する、という構成を採用することが可能である。
【００２１】
本発明では、上記位置決め機構として、上記側板及び上記バーのうちの一方側部材の長手方向端部を折返し状に折り曲げることにより形成された溝形部の溝底面と、他方側部材の長手方向端部により形成されて上記溝形部に嵌脱可能で上記溝底面に重なり合う板片部の端面と、を有する、という構成を採用することが可能である。
【００２２】
本発明では、上記ガイド機構の溝形部が上記側板に、上記ガイド機構の板片部が上記バーに、それぞれ設けられ、上記挟圧機構の第１折返し片部が上記側板に、上記挟圧機構の第１板片部が上記バーに、それぞれ設けられ、上記位置決め機構の上記溝底面が上記側板に設けられた上記溝形部に、上記位置決め機構の上記端面が上記バーの長手方向端部により形成された板片部に、それぞれ設けられている、という構成を採用することが可能である。
【発明の効果】
【００２３】
以上のように、本発明の光源ユニット取付構造によれば、光源ユニットの交換などに際し、ガイド機構が点発光素子の損傷などを防ぐことに役立ち、挟圧機構がバーと筐体の側板の内面との密着性を高めることに役立ち、しかも、挟圧機構がバーを側板に固定することにも役立つので両面粘着テープを用いて側板にバーを固定する必要がなくなる。また、位置決め機構が熟練を要することなくバーを確実に位置決めして筐体の側板に取り付けることに役立つ。したがって、光源ユニットの点発光素子の耐用寿命や発光信頼性が向上し、しかも、不良発生時の光源ユニットの交換も容易に行うことができるようになるという効果が得られる。
【図面の簡単な説明】
【００２４】
【図１】本発明の実施形態に係る光源ユニット取付構造を部分的に示した分解斜視図である。
【図２】同取付構造を部分的に示した斜視図である。
【図３】図２のＩＩＩ部の拡大平面図である。
【図４】同取付構造の要部の拡大断面図である。
【図５】同取付構造の概略平面図である。
【図６】光源ユニット取付構造のガイド機構及び挟圧機構の変形例を示した部分平面図である。
【図７】光源ユニット取付構造の従来例の断面図である。
【図８】先行例による正面装置の断面図である。
【図９】他の先行例による面状光源装置の断面図である。
【図１０】さらに他の先行例による照明装置の斜視図である。
【発明を実施するための形態】
【００２５】
図１は本発明の実施形態に係る光源ユニット取付構造を部分的に示した分解斜視図、図２は同取付構造を部分的に示した斜視図である。また、図３は図２のＩＩＩ部の拡大平面図、図４は同取付構造の要部の拡大断面図、図５は同取付構造の概略平面図である。また、図６は光源ユニット取付構造のガイド機構及び挟圧機構の変形例を示した部分平面図である。
【００２６】
光源ユニット取付構造は、液晶パネルのバックライト用光源として用いられる。光源ユニット１０では、伝熱性に優れた曲げなどの機械加工が可能な金属製の帯板状のバー１１に点発光素子としてのＬＥＤ１２が並べて装備されている。また、バー１１にはコネクタ１３も併せて装備されている。光源ユニット１０が取り付けられる板金製の筐体２０は、底板２１とその底板２１の端縁から立ち上げられた側板２２とを備えている。
【００２７】
図例の光源ユニット取付構造では、光源ユニット１０のバー１１が、筐体２０の側板２２の内面との重なり位置に装着される。また、この光源ユニット取付構造は、ガイド機構５０と、挟圧機構６０と、位置決め機構７０とを備えている。そして、ガイド機構５０が、バー１１を側板２２の内面との重なり位置に対して着脱する工程でのバー１１の移動を、側板２２の高さ方向（図１の矢印Ｙ１及びＹ２方向）に案内する機能を有し、挟圧機構６０が、側板２２の内面との重なり位置に配備されたバー１１を、側板２２の内面に押し付けて接触させる機能を有し、位置決め機構７０が、側板２２とその側板２２の重なり位置に配備されたバー１１とをそれらの長手方向で位置決めする機能を有している。次に、これらのガイド機構５０、挟圧機構６０及び位置決め機構７０を説明する。
【００２８】
ガイド機構５０は、側板２２の長手方向端部を折返し状に折り曲げることにより形成された溝形部５１と、バー１１の長手方向端部により形成されて上記溝形部５１に嵌脱可能な板片部５２とを有する。この板片部５２には、バー１１の長手方向端部での、上記溝形部５１の溝深さと略同一長さの領域が相当している。溝形部５１の溝幅は、板片部５２の厚さに見合って定められている。そして、図１の矢印Ｙ１のようにバー１１側の板片部５２を側板２２側の溝形部５１に嵌め込んで筐体２０の底板２１に当接させるという工程を行うと、溝形部５１により板片部５２が案内されてバー１１が側板２２の高さ方向（矢印Ｙ１方向）に移動し、図２のようにバー１１が筐体２０の底板２１に突き当たって側板２２の内面との重なり位置に配備される。図５のように、ガイド機構５０の溝形部５１は側板２２の長手方向両端部に対称に形成されているのに対し、ガイド機構５０の板片部５２もバー１１の長手方向両端部に対称に形成されている。したがって、バー１１を側板２２の内面との重なり位置に配備させる作業工程は、側板２２及び板片部５２の長手方向両端部のガイド機構５０を利用して行われる。
【００２９】
挟圧機構６０は、筐体２０側の側板２２の長手方向端部を折返し状に折り曲げることにより形成された第１折返し片部６１と、バー１１の長手方向端部により形成された第１板片部６２と、側板２２の高さ方向一端部の間隔を隔てた複数箇所に形成された第２板片部６３と、バー１１の幅方向一端部の価格を隔てた複数箇所に折返し状に形成された第２折返し片部６４と、筐体２０側の底板２１の間隔を隔てた複数箇所に開設された差込み孔６５と、バー１１の高さ方向他端部の間隔を隔てた複数箇所に形成された差込み片６６と、を有する。この実施形態において、上記第１折返し片部６１を形成している部分には、上記したガイド機構５０の溝形部５１を形成している折返し片が共用されている。また、第１板片部６２を形成している部分には、上記したガイド機構５０の板片部５２が共用されている。また、図４によって明らかなように、第２板片部６３には、第２折返し片部６４が重なり合う側板２２の特定の領域が相当している。
【００３０】
この挟圧機構６０は、側板２２の内面との重なり位置に配備されたバー１１をその側板２２の内面に押し付けて密着させる作用と、側板２２の内面との重なり位置に配備されたバー１１をその側板２２に固定する作用と、を発揮する。具体的には、側板２２の長手方向端部と第１折返し片部６１との相互間に嵌め込まれたバー１１側の第１板片部６２が、第１折返し片部６１によって側板２２の内面の長手方向端部に押し付けられる（図３参照）。また、第２板片部６３が、側板２２の内面に重なり合っているバー１１とそのバー１１側の第２折返し片部６４との間に挟まれ、かつ、その第２板片部６３の外面に第２折返し片部６４が弾圧することによってバー１１が側板２２の内面に押し付けられる（図４参照）。さらに、バー１１側の差込み片６６が底板２１側の差込み孔６５に差し込まれることにより、差込み片６６が差込み孔６５の孔縁に当接してバー１１が側板２２の内面に押し付けられる（図４参照）。
【００３１】
ここで、バー１１側の第１板片部６２が第１折返し片部６１によって側板２２の内面の長手方向端部に押し付けられるという作用は、第１折返し片部６１に弾性を付与し、かつ、その第１折返し片部６１と側板２２の長手方向端部との対向間隔を第１板片部６２の厚さよりもやゝ短くしておくことにより良好に発揮される。また、第２板片部６３の外面に第２折返し片部６４を弾圧させてバー１１を側板２２の内面に押し付けさせる作用は、第２折返し片部６４に弾性を付与し、かつ、その第２折返し片部６４とバー１１との対向間隔を側板２２側の第２板片部６３の厚さよりもやゝ短くしておくことにより良好に発揮される。
【００３２】
図３に示したように、位置決め機構７０は、筐体２０側の側板２２の長手方向端部を折返し状に折り曲げることにより形成された上記溝形部５１の溝底面７１と、バー１１側の上記板片部５２の端面７２とを有する。そして、溝形部５１に嵌合された板片部５２の端面７２が溝底面７１に重なり合うことによって、側板２２とバー１１とがそれらの長手方向で位置決めされる。この実施形態では、図５を参照して説明したように、溝形部５１が側板２２の長手方向両端部に対称に設けられ、かつ、板片部５２がバー１１の長手方向両端部に対称に設けられているので、双方の溝形部５１の溝底面７１の相互間隔にバー１１の長さを合わせておくことにより、バー１１がその両側の溝底面７１により挟まれて上記の位置決めが確実に行われる。なお、溝形部５１は側板２２の長手方向端部を折返し状に折り曲げることによって形成されているので、その溝形部５１の溝底面７１は、必ずしも図３のような平坦面になるとは限らず、その溝底面７１が湾曲面になることもある。この場合には、湾曲した溝底面７１にバー１１側の板片部５２の端面７２が突合せ状に重なり合って上記同様の位置決めが行われる。
【００３３】
以上説明した光源ユニット取付構造において、光源ユニット１０を筐体２０側の側板２２の内面との重なり位置に装着するときには、図１の矢印Ｙ１のようにバー１１側の板片部５２を側板２２側の溝形部５１に嵌め込んで筐体２０の底板２１に当接させるという工程を行う。また、光源ユニット１０を交換する際には、筐体２０側の側板２２の内面との重なり位置に装着されているバー１１を図１の矢印Ｙ２のように引き上げてバー１１側の板片部５２を側板２２側の溝形部５１から抜き出す工程を行う。このようにして光源ユニット１０を筐体２０の側板２２に対して着脱することができるようになっていると、着脱工程での光源ユニット１０の移動方向が側板２２の高さ方向に一致するので、光源ユニット１０のＬＥＤ１２やコネクタ１３などが筐体１０に取り付けられている導光板４０などに干渉しにくくなる。したがって、光源ユニット１０の着脱時にＬＥＤ１２や導光板４０などが損傷するという事態が起こりにくいという利点がある。
【００３４】
そして、図２〜図５のように、光源ユニット１０が筐体２０側の側板２２の内面との重なり位置に装着されている状態では、上記した挟圧機構６０の作用によって、光源ユニット１０のバー１１が側板２２の内面に広い面積で直接に接触していることにより、バー１１と側板２２の内面との密着性が向上している。このため、ＬＥＤ１２の発光に伴う発熱が、バー１１から側板２２に効率よく伝達され、さらに側板２２から筐体２０の底板２１などにも伝達されて効率よく放熱されるようになり、ＬＥＤ１２の発熱が抑制されてその耐用寿命や発光信頼性が向上する。特に、バー１１の長手方向両端部が挟圧機構６０の第１折返し片部６１により筐体２０の側板２２の内面に弾圧的に押し付けられ、かつ、バー１１の長手方向中間部の間隔を隔てた複数箇所が挟圧機構６０の第２折返し片部６４により筐体２０の側板２２の内面に弾圧的に押し付けられ、さらに、バー１１側の差込み片６６が底板２１側の差込み孔６５の孔縁に当接してバー１１が側板２２の内面から離れることを阻止しているという構成を採用しているために、仮にバー１１や側板２２が反り変形を起こしていても、それらの反り変形が修正されてバー１１が側板２２の内面のほゞ全体に密着するので、上記したようなＬＥＤ１２の発熱が筐体２０に効率よく伝達されて放熱される。
【００３５】
この実施形態では、ガイド機構５０の溝形部５１が側板２２に設けられ、ガイド機構５０の板片部５２がバー１に設けられているけれども、この点は、図６に変形例として示したように、ガイド機構５０の溝形部５１をバー１１の長手方向端部に設け、板片部５２を側板２２の長手方向端部に具備させておくことも可能である。この構成であっても、バー１１側の板片部５２を側板２２側の溝形部５１に嵌め込んで筐体２０の底板２１に当接させるという工程を行うと、溝形部５１により板片部５２が案内されてバー１１が側板２２の高さ方向に移動し、バー１１が側板２２の内面との重なり位置に配備される。
【００３６】
ガイド機構５０に図６の構成を具備させた場合には、挟圧機構６０の第１折返し片部６１がバー１１の長手方向端部に折返し状に形成され、挟圧機構６０の第１板片部６２が側板２２の長手方向端部によって形成される。さらに、位置決め機構７０の溝底面７１がバー１１に設けられた上記溝形部５１に設けられ、位置決め機構７０の端面７２が側板２２長手方向端部により形成された板片部に設けられる。
【符号の説明】
【００３７】
１０  光源ユニット
１１  バー
１２  ＬＥＤ（点発光素子）
２０  筐体
２１  底板
２２  側板
５０  ガイド機構
５１  溝形部
５２  板片部
６０  挟圧機構
６１  第１折返し片部
６２  第１板片部
６３  第２板片部
６４  第２折返し片部
６５  差込み孔
６６  差込み片
７０  位置決め機構
７１  溝形部の溝底面
７２  板片部の端面
【図１】
2011238365.tif 000003
【図２】
2011238365.tif 000004
【図３】
2011238365.tif 000005
【図４】
2011238365.tif 000006
【図５】
2011238365.tif 000007
【図６】
2011238365.tif 000008
【図７】
2011238365.tif 000009
【図８】
2011238365.tif 000010
【図９】
2011238365.tif 000011
【図１０】
2011238365.tif 000012